(57)【要約】      （修正有）【課題】ノイズの発生を抑え視覚的に良好な画像を提供する。【解決手段】信号処理部２０は撮像素子から出力された信号の輪郭補正を行う。符号化部４０は、前段に設けられた信号処理部２０の処理内容（輪郭補正パラメータ）、あるいは、符号化部４０の輪郭検出部１２２における輪郭検出結果に応じて量子化特性等を決定し符号化を行う。【選択図】図１
2007060372.tif 000002
【特許請求の範囲】
【請求項１】
画像信号の符号化を行う符号化部を含む画像符号化装置であって、
前記符号化部は、前段に設けられた機能ブロックの処理内容に応じて設定されるパラメータで符号化を行う画像符号化装置。
【請求項２】
画像信号の符号化を行う符号化部を含む画像符号化装置であって、
撮像素子と、前記撮像素子から出力された信号を補正する信号処理部と、
映像を圧縮符号化する符号符号化部とを備え、
前記符号化部が前記撮像素子と前記信号処理部との処理内容に応じて設定されるパラメータで符号化を行う請求項１記載の画像符号化装置。
【請求項３】
前記符号化部は、前段に設けられた信号処理部の輪郭補正パラメータに応じて設定される量子化特性で符号化を行う請求項１記載の画像符号化装置。
【請求項４】
前記符号化部は、前段に設けられた信号処理部の輪郭補正パラメータに応じて選択した周波数特性のフィルター処理後の画像信号を符号化する請求項１記載の画像符号化装置。
【発明の詳細な説明】
【技術分野】
【０００１】
本発明は、入力映像を高能率に符号化する画像符号化装置に関する。
【背景技術】
【０００２】
従来、ディジタル帯域圧縮時に輪郭補正する方法として、デジタルカメラのような小さいシステムにおいて、記録時に効率良く輪郭を強調でき、再生時にはリサイズ時の輪郭強調を容易に行えるデジタルカメラの輪郭強調システムが開示されている（例えば、特許文献１参照）。
【特許文献１】特開特開２００４−７２２６３号公報
【０００３】
この従来技術では、伸張時の量子化幅を量子化処理時の量子化幅と異なる値に設定することによって、任意の周波数を強調できる性質を利用して輪郭強調している。具体的には、輪郭強調したい２次元の水平と垂直周波数をそれぞれｍ、ｎ、量子化後のＤＣＴ係数をＦ´（ｍ、ｎ）、量子化前のＤＣＴ係数をＦ（ｍ、ｎ）、量子化幅をN（ｍ、ｎ）とする。量子化処理は、
Ｆ´（ｍ、ｎ） =  Ｆ（ｍ、ｎ）  ／ Ｎ（ｍ、ｎ）
の式により実施する。他方、伸張時の逆量子化時は、量子化幅Ｎ（ｍ、ｎ）を例えば１．２倍して、
Ｆ（ｍ、ｎ） = Ｆ´（ｍ、ｎ）  ＊ ｛１．２ ＊ Ｎ（ｍ、ｎ） ｝
とすることで、水平ｍ、垂直周波数ｎの伸張信号を１．２倍に強調することで、輪郭部の解像度が向上した映像を得ることができる。
【０００４】
この従来技術を利用して画像符号化装置を構成した場合、入力映像の絵柄によらず、常時輪郭補正される。入力映像が輪郭部分を多く含む場合は、圧縮時と伸張時に量子化特性を変更することで、輪郭部が強調され、解像感が増した映像を得ることができる。
【０００５】
しかしながら、上記従来の画像符号化装置にあっては、入力映像の絵柄によらず、常時輪郭補正される。また、入力映像に輪郭部が少なく、平坦な絵柄が映像の多くの部分を占める場合、圧縮時と伸張時で、異なる量子化幅を利用すると、入力映像に存在しない高域成分を加算するので、ノイズを付加することになり、視覚的に悪影響を及ぼすという欠点があった。
【発明の開示】
【発明が解決しようとする課題】
【０００６】
上記従来の画像符号化装置にあっては、入力映像の絵柄によらず、常時輪郭補正される。また、入力映像に輪郭部が少なく、平坦な絵柄が映像の多くの部分を占める場合、圧縮時と伸張時で、異なる量子化幅を利用すると、入力映像に存在しない高域成分を加算するので、ノイズを付加することになり、視覚的に悪影響を及ぼすという事情があった。
【０００７】
本発明は、ノイズの発生を抑え視覚的に良好な画像を提供することができる画像符号化装置を提供することを目的とする。
【課題を解決するための手段】
【０００８】
本発明の画像符号化装置は、画像信号の符号化を行う符号化部を含む画像符号化装置であって、前記符号化部は、前段に設けられた機能ブロックの処理内容に応じて設定されるパラメータで符号化を行う。この構成によれば、前段の処理内容に応じて符号化することにより、例えば、入力映像に輪郭部が少なく、平坦な絵柄が映像の多くの部分を占める場合であっても、ノイズの発生を抑え視覚的に良好な画像を提供することができる。
【発明の効果】
【０００９】
本発明のよれば、前段の処理内容に応じて符号化することにより、ノイズの発生を抑え視覚的に良好な画像を提供することができる。
【発明を実施するための最良の形態】
【００１０】
（実施の形態１）
図１は、本実施形態１の画像符号化装置全体の機能ブロック図である。図１において、撮像素子部１０は、映像ｅ１を入力してアナログ／ディジタル変換後、所定の信号フォーマットでディジタル映像信号を出力する。信号処理部２０は入力されたディジタル映像信号に対してフィルタ処理、フォーマット変換、輪郭強調、等の補正処理をし、補正ディジタル映像信号を出力する。制御ＣＰＵ部３０は撮像素子部１０、信号処理部２０、符号化部４０へ各種動作モードを設定する。符号化部４０は入力ディジタル信号を空間／時間相関性を応用してビット数を削減する。
【００１１】
次に、符号化部４０を構成する各機能ブロックについて説明する。符号化部４０は、Ｉｎｔｅｒ／Ｉｎｔｒａ判定部１００、第一スイッチ部１０２、直交変換部１０４、量子化部１０６、ＶＬＣ部１０８、バッファ部１１０、逆量子化部１１２、逆直交変換部１１４、フレームメモリ部１１６、第二スイッチ部１１８、動き補償部１２０、輪郭検出部１２２を含む。Ｉｎｔｅｒ／Ｉｎｔｒａ判定部１００は、信号処理部２０が出力した補正ディジタル映像信号と動き補償部１２０が出力した動き補償画像を入力してフレーム間（Ｉｎｔｅｒ）予測符号化を行うか、フレーム内（Ｉｎｔｒａ）符号化を行うかを判定し、ブロック符号化モード情報を出力する。第一スイッチ部１０２は、Ｉｎｔｅｒ／Ｉｎｔｒａ判定部１００が出力した判定結果と、動き補償部１２０が出力した動き補償画像と、定数「０」を入力し、動き補償画像又は定数「０」を出力する。直交変換部１０４は、信号処理部２０が出力した補正ディジタル映像信号と第一スイッチ部１０２の出力結果の減算結果を入力して直交変換係数を出力する。量子化部１０６は、直交変換部１０４が出力した直交変換係数と、バッファ部１１０が出力した量子化幅と、制御ＣＰＵ部３０が出力した動作モード制御信号の動作パラメータとを入力して量子化直交変換係数を出力する。ＶＬＣ部１０８は、量子化部１０６が出力した量子化直交変換係数と、量子化直交変換係数に多重されているブロック符号化モード情報を入力して可変長符号を出力する。バッファ部１１０は、ＶＬＣ部１０８が出力した可変長符号を一旦蓄積して一定レートで出力し、かつ内部のバッファ残留量から量子化幅を求めて量子化部１０６へ出力する。逆量子化部１１２は、量子化部１０６が出力した量子化直交変換係数を入力して逆量子化直交変換係数を出力する。逆直交変換部１１４は、逆量子化部１１２が出力した逆量子化直交変換係数を入力して逆直交変換係数を出力する。フレームメモリ部１１６は、逆直交変換部１１２が出力した逆直交変換係数と第二スイッチ部が出力した画素値信号の加算結果を入力して再生画像として蓄積する。第二スイッチ部１１８は、Ｉｎｔｅｒ／Ｉｎｔｒａ判定部１００が出力したブロック符号化モード情報と定数「０」と動き補償部１２０が出力した動き補償画像とを入力し、予測画素値信号を出力する。動き補償部１２０は、フレームメモリ部１１６が出力した再生画像と信号処理部２０が出力した補正ディジタル映像信号とを入力し、動きと動き補償画像とを出力する。輪郭検出部１２２は、補正ディジタル映像信号を入力して輪郭が存在するかを判定し、輪郭検出の判定結果を出力する。
【００１２】
制御ＣＰＵ部３０は、図示なしの外部コントローラ又はユーザインターフェース部から動作パラメータ選択信号を入力し、撮像素子部１０、信号処理部２０、符号化部４０へ同一の動作パラメータ値を設定する。設定する動作パラメータは、輪郭補正処理のＯＮ／ＯＦＦ設定が含まれる。撮像素子部１０は、ＣＣＤイメージセンサ又はＣＭＯＳイメージセンサーにより構成され、図示してないレンズにより撮像面に結像した映像ｅ１の入力光を光電効果によりディジタル映像信号として出力する。信号処理部２０は、ディジタル映像信号、動作パラメータ信号を入力し、動作パラメータにしたがって補正処理を実施し、補正ディジタル映像信号を符号化部４０へ出力する。補正処理の一例である輪郭補正方法の具体例は、例えば「ＣＣＤ／ＣＭＯＳイメージ・センサの基礎と応用」（ＣＱ出版社、Ｐ.１６８）に記載された輪郭補正法がある。同書に記述があるように、輪郭補正処理により、映像平坦部へ意図せずノイズを付加することにもなる。
【００１３】
符号化部４０は、信号処理部２０が出力する補正ディジタル映像信号及び制御ＣＰＵ部３０が出力し量子化部１０６が入力する動作モード制御信号を入力し、バッファ部１１０から圧縮ストリーム信号ｅ２を出力する。以下各ブロック毎に動作を説明する。尚、本図は動画像符号化方式の国際標準であるＭＰＥＧ（Moving Picture Experts Group）２又はＭＰＥＧ４を想定したものであるが、本発明は符号化方式を特定するものではなく、ＭＰＥＧ２やＭＰＥＧ４以外の方式を利用しても差し支えない。同方式は画面を一定の大きさの多数のブロックに分割し、ブロック毎に符号化する。符号化効率を高めるため、参照画像を、参照画像と入力画像の相関が最も高くなるようなブロック毎の動きを検出し、その動きが示す位置から画像を構成する動きを補償して予測画像とする方法が用いられる。
【００１４】
Ｉｎｔｅｒ／Ｉｎｔｒａ判定部１００は、信号処理部２０が出力したブロック単位の補正ディジタル映像信号と動き補償部１２０が出力した動き補償画像とを入力し、入力画像の分散値と動き補償画像／入力画像間の予測差分との分散値を比較し、入力分散値が大きい時はフレーム間予測符号化を選択し、逆に予測差分の分散値が大きければフレーム内符号化を選択し、選択結果を第一スイッチ部１０２と第二スイッチ部１１８とＶＬＣ部１０８へ出力する。輪郭検出部１２２は、信号処理部２０が出力した補正ディジタル映像信号を入力し、当該入力ブロックが輪郭を含むか否か輪郭検出方法を利用して判定し、結果を量子化部１０６へ出力する。輪郭検出方法の具体例としては、例えば「ディジタル画像におけるエッジ検出方法」（特開平７-１４０２７号記載）が知られている。第一スイッチ部１０２は、Ｉｎｔｅｒ／Ｉｎｔｒａ判定部１００がフレーム内符号化を選択した時は固定値「０」を減算器１０２ａへ出力し、直交変換部１０４が補正ディジタル映像信号を入力するようにする。第一スイッチ部１０２は、Ｉｎｔｅｒ／Ｉｎｔｒａ判定部１００がフレーム間符号化を選択した場合は、動き補償画像を減算器１０２ａへ出力し、直交変換部１０４が予測差分を入力するようにする。直交変換部１０４は補正ディジタル映像信号、又は予測差分を入力し、ＤＣＴ変換を実行して直交変換係数を出力する。量子化部１０６は、直交変換係数の情報量を削減するため、制御ＣＰＵ部３０が出力した動作モード制御信号と、バッファ部１１０が出力した量子化幅と、輪郭検出部１２２が出力した輪郭検出信号とから量子化特性を選択し、直交変換係数を量子化して量子化直交変換係数を出力する。
【００１５】
以下、量子化特性の決定方法の一例の概略を説明する。図２は、信号処理部２０への輪郭補正指示の有効／無効及び輪郭検出部１２２の輪郭検出の結果によって、量子化部１０６の特性を適応的に変更するか否か決定する方法の一例の概略を説明するための図である。同図に示すように、輪郭補正指示の輪郭補正パラメータと輪郭検出結果により、以下の（１）、（２）、（３）、（４）の４通りの場合がある。（１）輪郭補正が有効、かつ輪郭を検出した場合は、入力画像に輪郭が存在し、信号処理部２０で輪郭補正されるので、輪郭を保存しつつ符号化するこが適切であり、したがって量子化部１０６での特性制御は行わない。（２）輪郭補正が有効、かつ輪郭を検出しなかった場合は、輪郭が存在しないにもかかわらず、信号処理部２０で輪郭補正処理が実施されているので、余分な信号成分が入力映像に加算され、結果としてノイズを含む映像が符号化部４０へ入力されたと判断し、ノイズ分を除去するために、量子化特性を制御する。（３）輪郭補正が無効で、かつ輪郭を検出した場合は、輪郭補正処理が実施されていないので、量子化特性を制御する必要はない。（４）輪郭補正が無効でかつ輪郭を検出しない場合も同様に、輪郭補正処理が実施されていないので、量子化特性を制御する必要はない。つまり、（２）の場合の、入力映像に輪郭が存在せず、輪郭補正された場合は、輪郭補正信号を余分なノイズ成分と判定し、高域成分をカットする方向へ量子化特性を制御することで、当該ノイズ成分を取り除いて符号化する。
【００１６】
図３は、信号処理部２０への輪郭補正指示の有効／無効及び輪郭検出部１２２の検出結果によって、量子化部１０６の特性を適応的に変更するか否か決定する方法の一例の概略を説明するためのフローチャートである。処理を開始し、ステップＳ１にて、輪郭補正が有効か否かを判定する。ステップＳ１にて、輪郭補正が無効の場合（ＮＯ）、量子化特性を制御しないで終了する。ステップＳ１にて、輪郭補正が有効である場合（ＹＥＳ）、ステップＳ２に進み、輪郭が検出されるか否かを判定する。ステップＳ２にて、輪郭を検出しなかった場合（ＮＯ）、輪郭が存在しないにもかかわらず、信号処理部２０で輪郭補正処理が実施されているので、余分な信号成分が入力映像に加算され、結果としてノイズを含む映像が符号化部４０へ入力されたと判断し、ノイズ分を除去するために、ステップＳ３にて、量子化特性制御処理を実行する。ステップＳ２にて、輪郭を検出した場合（ＹＥＳ）、量子化特性を制御しないで終了する。
【００１７】
図４は、量子化特性変更方法の一例の概略を説明するための（ａ）水平８画素、垂直８ラインの領域から構成されるブロックの２次元ＤＣＴ変換後の各ＤＣＴ係数位置と周波数の関係及び（ｂ）ノイズ分を除去するための量子化特性制御処理を実行する際の量子化特性の関係を示す。同図（ａ）のＣｉｊ（ｉ=０〜７、ｊ=０〜７）は、ＤＣＴ係数であり、ｉは垂直方向の周波数、ｊは水平方向の周波数を示し、数値が大きい程、高い周波数の係数である。つまり、Ｃ００は水平、垂直ともに最低周波数である直流成分の係数、Ｃ７７は水平垂直ともに最高周波数の係数である。同図（ｂ）は、前に説明した（２）信号処理部２０で輪郭補正処理が実施され、かつ輪郭を検出しなかった場合、ノイズ分を除去するための量子化特性制御処理を実行する際の量子化特性を示す。領域Ａ１部分のみをバッファ部１１０より入力した量子化幅で量子化する。領域Ａ２部分のＣ６６、Ｃ６７、Ｃ７６、Ｃ７７は、輪郭補正処理により付加された余分なノイズ成分であると判断し、量子化処理をせず、結果として符号化時に削除されることを示している。
【００１８】
逆量子化部１１２は、量子化直交変換係数を入力し、量子化時と同一の量子化幅で逆量子化し、逆量子化直交変換係数を出力する。逆直交変換部１１４は、逆量子化直交変換係数を入力して、逆直交変換し、逆直交変換係数を出力する。第二スイッチ部１１８は、Ｉｎｔｅｒ／Ｉｎｔｒａ判定結果がフレーム内符号化を示している時は「０」を加算器１１８ａへ出力し、フレーム間符号化を示している時は動き補償画像を加算器１１８ａへ出力し、フレームメモリ部１１６へ量子化誤差を含む再生画像を出力するようにする。ＶＬＣ部１０８は、量子化直交変換係数、Ｉｎｔｅｒ／Ｉｎｔｒａ判定結果、動き補償予測付随情報を入力し、これらを可変長符号化してバッファ部１１０へ出力する。バッファ部１１０は不定速度で入力される可変長符号を一旦蓄積し、一定速度で出力するとともに、内部蓄積符号量に比例させた量子化幅を算出して量子化部１０６へ出力する。動き補償部１２０は、補正ディジタル映像信号、フレームメモリ部１１６から再生画像を入力し、ブロックマッチング法で動きを検出し、動き補償画像、付随情報（動き補償の有効／無効、動きベクトル）、等の動き検出情報を出力する。ブロックマッチング法の具体例としては「画像の帯域圧縮と符号化技術」（日刊工業新聞社、Ｐ．６１〜Ｐ．６２）の記載内容を挙げることができる。
【００１９】
図５は、動き補償部１２０の処理内容の一例の概略を説明するフローチャートである。先ず、ステップＳ２１にて、ブロックマッチング法により連続する二つの画像フレームの動きベクトル、動き補償画像、動き補償予測付随情報、等の動き検出情報を求める。次いで、ステップＳ２２にて、動き補償画像と動き補償前（動き量を０とした場合）の画像のいずれが符号化効率が良好かを補正ディジタル映像信号との差分絶対値和によって判定する。次いで、ステップＳ２３にて、判定結果を反映した予測画像を第一スイッチ部１０２、Ｉｎｔｅｒ／Ｉｎｔｒａ判定部１００、第二スイッチ部１１８へ出力し、動き補償の付随情報をＶＬＣ部１０８へ出力する。
【００２０】
本実施形態では上記のように、信号処理部２０での輪郭補正の有無と符号化部４０での輪郭検出結果により、量子化特性補正の必要性を判断し、必要と判断した場合は、ＤＣＴ係数の高域成分を輪郭補正時に意図せず加算されたノイズと判断して除去するように量子化特性を変更する。また、量子化特性の変更は、輪郭補正が実施され、かつ入力映像に輪郭が存在しないブロックについてのみ、高周波成分を除去する。したがって、映像に輪郭が存在する部分は、輪郭補正後の映像をそのまま符号化するので、輪郭部の解像感を保ちながら符号化することができ、映像に輪郭が存在しないブロックについては、輪郭補正時に加算された補正信号を除去して符号化するので、平坦部への意図しないノイズ付加を防止することができる。
【００２１】
（実施の形態２）
図６は、本発明の実施の形態２の画像符号化装置全体の機能ブロック図である。実施の形態２の画像符号化装置は、実施の形態１の輪郭検出部１２２が削除され、代わりに輪郭検出前置フィルタ部１３０が加わっている。その他の構成は実施の形態１と同様である。実施の形態２の画像符号化装置は、輪郭検出前置フィルタ部１３０以外の動作は、実施の形態１と同様である。輪郭検出前置フィルタ部１３０は、信号処理部２０が出力した補正ディジタル映像信号とＣＰＵ部３０が出力した動作モード制御信号を入力し、前置フィルタを適応するか否かを判断する。適応する場合はフィルタ処理した映像をＩｎｔｅｒ／Ｉｎｔｒａ判定部１００及び動き補償部１２０へ出力し、適応しない場合は入力映像をＩｎｔｅｒ／Ｉｎｔｒａ判定部１００及び動き補償部１２０へ出力する。
【００２２】
次に、輪郭検出前置フィルタ部１３０の動作を説明する。図７は、信号処理部２０への輪郭補正指示の有効／無効と輪郭検出前置フィルタ部１３０の輪郭検出結果によって、前置フィルタを適応するか否か決定する方法の一例の概略を説明するための図である。同図に示すように、輪郭補正指示の輪郭補正パラメータと、実施の形態１と同一手法による輪郭検出結果により、以下の（１）、（２）、（３）、（４）の４通りの場合がある。（１）輪郭補正が有効、かつ輪郭を検出した場合は、入力画像に輪郭が存在し、信号処理部２０で輪郭補正されるので、輪郭を保存しつつ符号化するのが適切である。したがって、輪郭検出前置フィルタ部１３０での前置フィルタ処理は実施しない。（２）輪郭補正が有効、かつ輪郭を検出しなかった場合は、輪郭が存在しないにもかかわらず、信号処理部２０で輪郭補正処理が実施されているので、余分な信号成分が入力映像に加算され、結果としてノイズを含む映像が符号化部４０へ入力されたと判断し、ノイズ分を除去するために、輪郭検出前置フィルタ部１３０での前置フィルタ処理を実施する。（３）輪郭補正が無効で、かつ輪郭を検出した場合は、輪郭補正処理が実施されていないので、輪郭検出前置フィルタ部１３０での前置フィルタ処理はしない。（４）輪郭補正が無効でかつ輪郭を検出しない場合も同様に、輪郭補正処理が実施されていないので、輪郭検出前置フィルタ部１３０での前置フィルタ処理はしない。つまり、（２）の場合の、入力映像に輪郭が存在せず、輪郭補正された場合は、輪郭補正信号を余分なノイズ成分と判定し、前置フィルタを用いて高域成分をカットすることで、当該ノイズ成分を取り除いて符号化する。
【００２３】
次に前置フィルタの動作を説明する。図８は、映像信号と輪郭補正処理により加算された信号の周波数特性を説明するための図である。横軸は周波数であり、ｆｓはディジタル映像信号のサンプリング周波数であり、入力映像信号は周波数ｆｓ／２までの信号を含むことができる。分布Aはディジタル映像信号の周波数分布を示したものであり、低域部の振幅が大きく、高域になるにしたがって振幅は小さくなり、図の例ではｆ１で振幅が０になる。分布Bは、信号処理部２０での輪郭補正処理により付加される高域信号の分布であり、図の例ではｆ２からｆｓ／２の高域部に存在する。同図のように映像に輪郭が存在しない場合は、輪郭補正信号はノイズ成分となる。
【００２４】
図９は、前置フィルタの周波数特性図を示す。周波数ｆ１以下の信号は利得が１.０であり、ｆ１〜ｆ２の周波数で徐々に利得が小さくなり、ｆ２で０となる。従って前置フィルタ特性はｆ１以下の映像信号成分を通過させ、ｆ２以上のノイズ成分を遮断することができる。
【００２５】
本実施形態では上記のように、信号処理部２０での輪郭補正の有無と符号化部４０での輪郭検出結果により、前置フィルタ処理の必要性を判断し、必要と判断した場合は、高域周波数成分を輪郭補正時に意図せず加算されたノイズと判断して除去するために前置フィルタ処理を実施する。前置フィルタ処理は、輪郭補正が実施され、かつ入力映像に輪郭が存在しないブロックについてのみ実施される。したがって、映像に輪郭が存在する部分は、輪郭補正後の映像をそのまま符号化するので、輪郭部の解像感を保ちながら符号化することができ、映像に輪郭が存在しないブロックについては、輪郭補正時に加算された補正信号を除去して符号化するので、平坦部への意図しないノイズ付加を防止することができる。
【００２６】
図１０は、信号処理部２０への輪郭補正指示の有効／無効と輪郭検出前置フィルタ部１３０の輪郭検出結果によって、前置フィルタを適応するか否か決定する方法の一例の概略を説明するためのフローチャートである。先ず、開始すると、ステップＳ３１にて、輪郭補正が有効か否かを判定する。ステップＳ３１にて、輪郭補正が無効の場合（ＮＯ）、前置フィルタ処理は実施しないで、終了する。ステップＳ３１にて、輪郭補正が有効の場合（ＹＥＳ）、ステップＳ３２に進み、輪郭を検出したか否かを判定する。ステップＳ３２にて、輪郭を検出した場合（ＹＥＳ）は、前置フィルタ処理は実施しないで、終了する。ステップＳ３２にて、輪郭を検出しなかった場合（ＮＯ）、輪郭が存在しないにもかかわらず、信号処理部２０で輪郭補正処理が実施されているので、余分な信号成分が入力映像に加算され、結果としてノイズを含む映像が符号化部４０へ入力されたと判断し、ノイズ分を除去するために、ステップＳ３３にて、輪郭検出前置フィルタ部１３０での前置フィルタ処理を実施する。
【００２７】
以上説明したように、本発明は、符号化部４０が、符号化部４０前段に設置された撮像素子や信号処理部２０への設定パラメータを参照して映像符号化パラメータを適応的に選択することで、符号化部４０への入力映像の性質に応じた符号化が可能となる。映像符号化パラメータを時間的又は空間的に固定することによって生じる悪影響を軽減し、符号化部４０内でパラメータ選択のための複雑な計算処理を軽減する効果が極めて高いという利点がある。
【産業上の利用可能性】
【００２８】
本発明の画像符号化装置は、符号化部が、符号化部前段に設置された撮像素子や信号処理部への設定パラメータを参照して映像符号化パラメータを適応的に選択することで、符号化部への入力映像の性質に応じた符号化が実現でき、また映像符号化パラメータを時間的又は空間的に固定することによって生じる悪影響を軽減し、符号化部内でパラメータ選択のための複雑な計算処理を軽減する画像符号化に有用である。
【図面の簡単な説明】
【００２９】
【図１】実施の形態１の画像符号化装置全体の機能ブロック図
【図２】信号処理部への輪郭補正指示の有効／無効及び輪郭検出部の輪郭検出の結果によって、量子化部の特性を適応的に変更するか否か決定する方法の一例の概略を説明するための図
【図３】信号処理部への輪郭補正指示の有効／無効及び輪郭検出部の検出結果によって、量子化部の特性を適応的に変更するか否か決定する方法を示すフローチャート
【図４】量子化特性変更方法を説明する図
【図５】動き補償部の処理内容を示すフローチャートである。
【図６】本発明の実施の形態２の画像符号化装置全体の機能ブロック図
【図７】信号処理部への輪郭補正指示の有効／無効と輪郭検出前置フィルタ部の輪郭検出結果によって、前置フィルタを適応するか否か決定する方法を示す図
【図８】映像信号と輪郭補正処理により加算された信号の周波数特性を示す図
【図９】前置フィルタの周波数特性を示す図
【図１０】信号処理部への輪郭補正指示の有効／無効と輪郭検出前置フィルタ部の輪郭検出結果によって、前置フィルタを適応するか否か決定する方法を示すフローチャート
【符号の説明】
【００３０】
２０  信号処理部
３０  制御ＣＰＵ部
４０  符号化部
【図１】
2007060372.tif 000003
【図２】
2007060372.tif 000004
【図３】
2007060372.tif 000005
【図４】
2007060372.tif 000006
【図５】
2007060372.tif 000007
【図６】
2007060372.tif 000008
【図７】
2007060372.tif 000009
【図８】
2007060372.tif 000010
【図９】
2007060372.tif 000011
【図１０】
2007060372.tif 000012